(57)【要約】      （修正有）【課題】管理を容易にし、かつ、簡単に取り付けられる照明装置を提供すること。【解決手段】照明装置は、取付金具２０と、筐体２と、光源モジュールと、電源装置と、接続部と、を備える。取付金具２０は、天井１の下面である被取付面に固定される。筐体２は、被取付面に沿って一方向に長い形状に構成され、被取付面に対する回転により取付金具２０に係合される。光源モジュールは、筐体２に収納される。電源装置は、筐体２に収納され、光源モジュールに接続される。接続部は、電源装置に電気的に接続され、かつ、被取付面から筐体側へ向かって延出する給電ケーブルが直接接続可能に構成される。【選択図】図９
2020167110.tif 000002
【特許請求の範囲】
【請求項１】
被取付面に固定される取付金具と；
前記被取付面に沿って一方向に長い形状に構成され、前記被取付面に対する回転により前記取付金具に係合される筐体と；
前記筐体に収納される光源モジュールと；
前記筐体に収納され、前記光源モジュールに接続される電源装置と；
前記電源装置に電気的に接続され、かつ、前記被取付面から前記筐体側へ向かって延出する給電ケーブルが直接接続可能な接続部と；
を備える照明装置。
【請求項２】
前記筐体は、前記被取付面に対向する壁部を有し、
前記取付金具は、前記被取付面に直交する方向に延出する支持部、及び前記支持部の先端部に形成され、前記支持部に傾斜する方向に延出し、前記壁部に前記壁部の厚み方向に係合する第１の係合部を有し、
前記筐体は、前記壁部を貫通し、前記支持部及び前記第１の係合部に係合する第１の被係合部を有し、
前記筐体が、前記支持部及び前記第１の係合部を前記第１の被係合部に配置した状態で、前記被取付面に直交する回転軸回りに回転されることで、前記第１の係合部が前記壁部の厚み方向に前記第１の被係合部に係合する
請求項１に記載の照明装置。
【請求項３】
前記取付金具は、前記被取付面及び前記壁部との間に配置され、前記支持部が設けられる基部を有する
請求項２の照明装置。
【請求項４】
前記第１の係合部及び前記基部の間の距離は、前記第１の被係合部の縁部の厚みより短い
請求項３の照明装置。
【請求項５】
前記第１の被係合部の前記縁部の厚みは、前記第１の被係合部から離れる方向に漸次増大する
請求項４に記載の照明装置。
【請求項６】
前記接続部は、前記電源装置に移動可能に支持される
請求項１に記載の照明装置。
【請求項７】
前記接続部は、前記電源装置に可撓性を有する接続ケーブルにより接続される
請求項６に記載の照明装置。
【請求項８】
前記取付金具は、前記筐体の短手方向の一端部に固定され、前記筐体を前記被取付面に平行な一軸周りに回転可能に固定するヒンジ、及び前記ヒンジと離間した位置に配置された第２の係合部を備え、
前記筐体は、前記第２の係合部が係合される第２の被係合部を有する
請求項１に記載の照明装置。
【発明の詳細な説明】
【技術分野】
【０００１】
本発明の実施形態は、例えば天井に取り付ける照明装置に関する。
【背景技術】
【０００２】
天井に取り付ける照明装置として、例えば、一列に並べた複数個のＬＥＤ素子を備えた長尺なベースライトが知られている。この種のベースライトは、一般に、天井に締結固定するシャーシと、シャーシに取り付ける灯具と、を有する。シャーシは、電源装置と端子台を備える。灯具は、複数個のＬＥＤ素子を直線状に並べて実装した長尺な基板を備える。
【０００３】
この種のベースライトを天井に取り付ける場合、まず、天井から引き出された給電ケーブルをシャーシの孔に通し、シャーシをネジにより天井に締結固定する。そして、シャーシの孔から引き出された給電ケーブルをシャーシに固定された端子台に接続し、その後、中間のコネクタを接続し、灯具をシャーシに取り付ける。灯具のシャーシへの取り付けには、ネジなどが用いられる。
【０００４】
しかしながら、このように照明装置がシャーシ及び灯具を備える構成である。照明装置の管理が煩雑になる。これに対し、例えば、長手方向に離間して配置した２つの取付金具を介して灯具を天井に直付けするタイプのベースライトも考案されている。取付金具は、例えば、天井に締結固定するためのネジ孔と、灯具を保持するための保持部と、を備えている。保持部は、例えば、金属板をコ字状に折り曲げた板ばねにより形成されており、板ばねの先端に係合爪を備えている。取付金具は、板ばねの開口側が下を向く姿勢で天井に締結固定される。
【０００５】
この種のベースライトを天井に取り付ける場合、まず、２つの取付金具を互いに所定距離離間させてネジにより天井の所定位置に締結固定する。そして、天井から引き出された給電ケーブルを灯具に接続し、その後、灯具を２つの取付金具の板ばねの内側に押し込む。これにより、２つの取付金具の板ばねが弾性変形して広げられて、灯具の筐体の外面にある溝に板ばねの先端にある係合爪が係合し、板ばねが復元力によって元の形に戻って、灯具が天井に取り付けられる。
【先行技術文献】
【特許文献】
【０００６】
【特許文献１】特開２０１６−３５９３５号公報
【発明の概要】
【発明が解決しようとする課題】
【０００７】
しかし、上述した従来のベースライトのように、灯具の筐体の外面に設けた溝に取付金具の係合爪を引っ掛ける保持構造を採用した場合、長尺の灯具を天井に押し付ける作業が必要となる。この為、灯具の長手方向の長さによっては、作業者が複数必要となる場合も考えられる。
【０００８】
本発明が解決しようとする課題は、管理を容易にし、かつ、簡単に取り付けられる照明装置を提供することである。
【課題を解決するための手段】
【０００９】
実施形態によれば、照明装置は、取付金具と；筐体と；光源モジュールと；電源装置と；接続部と；を備える。前記取付金具は、被取付面に固定される。前記筐体は、前記被取付面に沿って一方向に長い形状に構成され、前記被取付面に対する回転により前記取付金具に係合される。前記光源モジュールは、前記筐体に収納される。前記電源装置は、前記筐体に収納され、前記光源モジュールに接続される。前記接続部は、前記電源装置に電気的に接続され、かつ、前記被取付面から前記筐体側へ向かって延出する給電ケーブルが直接接続可能に構成される。
【発明の効果】
【００１０】
本発明によれば、ベースライトの管理を容易にし、かつ、ベースライトを簡単に取り付けられることが期待できる。
【図面の簡単な説明】
【００１１】
【図１】図１は、第１の実施形態に係るベースライトを示す斜視図である。
【図２】図２は、図１のベースライトの灯具から透光カバーを取り除いた状態を示す斜視図である。
【図３】図３は、図１に示すベースライトの上壁を示す平面図である。
【図４】図４は、図１に示すベースライトの要部の断面図である。
【図５】図５は、図１のベースライトの灯具をＦ５−Ｆ５で切断した断面図である。
【図６】図６は、図１に示すベースライト１を、電源装置及び引込孔の近傍で、筐体の長手方向に沿う断面に沿って切断した状態を示す断面図である。
【図７】図７は、図６に示す端子台が引込孔を通して筐体の外に引き出された状態を示す側面図である。
【図８】図８は、図１に示すベースライト、及び灯具に接続されるスレーブ灯具を示す側面図である。
【図９】図９は、天井の下面の、図１に示す灯具が取り付けられる領域を占め示す下面図である。
【図１０】図１０は、図４に示す取付金具を示す斜視図である。
【図１１】図１１は、図３に示す係合孔に取付金具を挿入した状態を示す断面図である。
【図１２】図１２は、図１に示す灯具を回転する様子を下方から示す説明図である。
【図１３】図１３は、図１に示すベースライトの変形例を示す下面図である。
【図１４】図１４は、第２の実施形態に係るベースライトを示す斜視図である。
【図１５】図１５は、図１４に示すベースライトの灯具を示す斜視図である。
【図１６】図１６は、図１４に示す灯具及びスレーブ灯具の接続を説明する説明図である。
【図１７】図１７は、図１４に示す取付金具及び灯具の係合を説明する説明図である。
【図１８】図１８は、図１４に示すベースライトの要部を示す断面図である。
【図１９】図１９は、図１６に示す灯具及びスレーブ灯具の変形例を示す平面図である。
【図２０】図２０は、図１及び図１４に示すベースライトの変形例の要部を示す断面図である。
【図２１】図２１は、第３の実施形態に係るベースライトを示す斜視図である。
【図２２】図２２は、図２１に示すベースライトを示す断面図である。
【図２３】図２３は、第４の実施形態に係るベースライトを示す斜視図である。
【図２４】図２４は、図２３に示すベースライトを、長手方向に沿って見る側面図である。
【図２５】図２５は、図２３に示すベースライト及びスレーブベースライトを示す斜視図である。
【図２６】図２６は、第１の実施形態乃至第４の実施形態に係るベースライトの変形例の要部を示す断面図である。
【図２７】図２７は、第１の実施形態乃至第４の実施形態に係るベースライトの変形例の要部を示す断面図である。
【発明を実施するための形態】
【００１２】
（第１の実施形態）
ベースライト１００は、天井１の下面１ａに固定される取付金具２０と；下面１ａに対向配置される上壁２ａを有し、下面１ａに沿って一方向に長い形状に構成され、下面１ａに対する回転により取付金具２０に係合される筐体２と；筐体２に収納される光源モジュール１４と；筐体２に収納され、光源モジュール１４に接続される電源装置４と；電源装置４に電気的に接続され、かつ、下面１ａから筐体２側へ向かって延出する給電ケーブル３１が直接接続可能な端子台６と；を備える。
【００１３】
取付金具２０は、下面１ａに直交する方向に延出する支持部２４、及び支持部２４の先端部に形成され、支持部に傾斜する方向に延出し、上壁２ａに上壁２ａの厚み方向に係合する爪部２３を有し、上壁２ａは、上壁２ａを貫通し、支持部２４及び爪部２３を配置可能な係合孔７を有し、筐体２が、支持部２４及び爪部２３を係合孔７に配置した状態で、下面１ａに直交する回転軸回りに回転されることで、爪部２３が上壁２ａの厚み方向に係合孔７の縁部７ａに係合する。
【００１４】
取付金具２０は、下面１ａ及び上壁２ａとの間に配置され、支持部２４が設けられる基部２１を有する。
【００１５】
爪部２３及び基部２１の間の距離は、係合孔７の縁部７ａの厚みより短い。
【００１６】
係合孔７の縁部７ａの厚みは、係合孔７から離れる方向に漸次増大する。
【００１７】
端子台６は、電源装置４に移動可能に支持される。
【００１８】
端子台６は、電源装置４に可撓性を有する接続ケーブル８により接続される。
【００１９】
取付金具２０は、筐体２の短手方向の一端部に固定され、筐体２を下面１ａに平行な一軸周りに回転可能に固定するヒンジ２６、及びヒンジ２６と離間した位置に配置された係合部２７を備え、上壁２ａは、係合部２７が係合される被係合孔７Ｃを有する。
【００２０】
図１に示すように、ベースライト１００は、灯具１０と、取付金具２０と、を備える。ベースライト１００は、取付金具２０が天井１の下面１ａに固定され、ベースライト１００が取付金具２０に係合することで、下面１ａに取り付けられる。下面１ａは、灯具１０が取り付けられる被取付面の一例である。
【００２１】
図２に示すように、灯具１０は、図示下面側が開口した長尺な矩形箱状の筐体２を有する。筐体２は、例えば、略矩形の１枚の金属板を形状加工して断面コ字状に折り曲げた形状を有する。
【００２２】
より詳細には、筐体２は、上壁２ａと、２つの側壁２ｂと、２つの端壁２ｃと、を一体に有する。上壁２ａは、長尺な矩形板状に形成されている。上壁２ａは、天井１に対向する対向壁として機能する。２つの側壁２ｂは、上壁２ａの長手方向に沿った両端辺にそれぞれ連続して上壁２ａと垂直に配置されている。各側壁２ｂは、長尺な矩形板状に形成されている。２つの端壁２ｃは、上壁２ａの短手方向に沿った両端辺にそれぞれ連続して上壁２ａと垂直に配置されている。各端壁２ｃは、矩形板状に形成されている。２つの側壁２ｂおよび２つの端壁２ｃは、上壁２ａの同一面側に垂直に延設されており、矩形枠状の周壁を形成している。言い換えると、筐体２は、上壁２ａに対向する長尺な矩形の開口を有し、筐体２内には、長尺な矩形の凹所３が形成されている。
【００２３】
筐体２の上壁２ａには、天井１から配線されている後述する給電ケーブル３１（図６及び図７に示す）を凹所３内に引き込むための引込孔５が設けられている。引込孔５は、例えば円形に形成される。引込孔５は、上壁２ａの中心で上壁２ａを貫通して設けられている。引込孔５の中心は、例えば上壁２ａの中心に位置する。
【００２４】
引込孔５の大きさは、後述する電源装置４に接続した端子台６を挿通可能な大きさに形成されている。引込孔５の形状は、端子台６を挿通可能な形状であればよく、任意に設計可能である。
【００２５】
図３は、上壁２ａを示す平面図であり、上壁２ａを天井１側から見た状態を示している。
【００２６】
図３に示すように、筐体２の上壁２ａには、２つの係合孔７が上壁２ａを貫通して設けられている。一方の係合孔７は、引込孔５を挟んで、上壁２ａの長手方向で一方に配置される。他方の係合孔７は、引込孔５を挟んで、上壁２ａの長手方向で他方に配置される。２つの係合孔７は、それぞれ、例えば上壁２ａの長手方向の端部に配置される。
【００２７】
図４は、ベースライト１００の要部の断面図であり、一方の取付金具２０及びその周囲を示している。
【００２８】
図３及び図４に示すように、係合孔７は、取付金具２０が係合可能な形状に構成される。２つの係合孔７は、それぞれ、具体的には、取付金具２０の一部を上方から挿入可能であり、かつ、取付金具２０の一部が挿入された後、引込孔５を通り下面１ａに直交する回転軸周りに灯具１０を一方向に回転することで取付金具２０が係合可能な形状に形成される。係合孔７は、例えば、矩形の孔に形成される。また、２つの係合孔７は、例えば、上壁２ａの短手方向で、引込孔５を挟んで両側に、１つずつ配置される。２つの係合孔７は、例えば、上壁２ａの対角に配置される。
【００２９】
図５は、灯具１０を切断して示す断面図であり、図１に示すＦ５―Ｆ５線断面に沿って切断した状態を示している。
【００３０】
図２及び図５に示すように、筐体２の凹所３内には、電源装置４が収容配置されている。電源装置４は、上壁２ａに設けた２つの係合孔７の間に配置される。電源装置４は、この位置で、図示しないねじ等の固定部材により筐体２の上壁２ａの内面に固定されている。
【００３１】
図６は、ベースライト１００を、電源装置４及び引込孔５の近傍で、筐体２の長手方向に沿う断面に沿って切断した状態を示している。
【００３２】
図７は、端子台６が引込孔５を通して筐体２の外に引き出された状態を、引込孔５の近傍で、筐体２の長手方向に沿う断面に沿って切断した状態を示している。
【００３３】
図６及び図７に示すように、電源装置４の例えば引込孔５側の端部には、可撓性を有する所定長さの接続ケーブル８を介して端子台６が接続されている。接続ケーブル８は、少なくとも端子台６を筐体２の外に引き出すことができる長さを有する。
【００３４】
接続ケーブル８の、引込孔５から端子台６までの長さＬは、８０ｍｍ以下である。端子台６は、灯具１０を下面１ａに取り付けた状態では図６に示すように筐体２の凹所３内に収容配置される。
電源装置４は、給電ケーブル３１、端子台６、および接続ケーブル８を介して図示しない商用電源から供給される電力を灯具１０に対応させた電力に変換する。図５に示すように、電源装置４は、図示しない電線を介して後述する光源モジュール１４の基板１３の図示しない配線に接続される。電源装置４は、光源モジュール１４に所定の電力を供給して、複数個のＬＥＤ素子１１を発光させる。
【００３５】
図８は、天井１の下面１ａに取り付けられた灯具１０に、スレーブ灯具２００を接続する方法を説明する側面図である。
【００３６】
図８に示すように、灯具１０は、スレーブ灯具２００に電気的に接続可能に構成される。
具体的には、灯具１０は、図中点線で示すように、コネクタ９を備える。コネクタ９は、スレーブ灯具２００が電気的に接続される接続部の一例である。コネクタ９は、電源装置４に電気的に接続されており、電源装置４からの電力をスレーブ灯具２００に供給する。コネクタ９は、例えば、灯具１０の長手方向で灯具１０の一端部に配置される。
【００３７】
スレーブ灯具２００は、灯具１０が電源装置４及びコネクタ９を備える構成であることに対して、電源装置４及びコネクタ９を備えない点、及び筐体２の上壁２ａに引込孔５を有さない点で、灯具１０と異なる。さらに、スレーブ灯具２００は、コネクタ９に連結されるプラグ２０１を備える。スレーブ灯具２００は、他の構成においては、灯具１０と同じであってよい。この為、スレーブ灯具２００については、灯具１０と同一の符号を付して説明を省略する。
【００３８】
スレーブ灯具２００のプラグ２０１がベースライト１００の灯具１０のコネクタ９に挿入されることで、スレーブ灯具２００がベースライト１００に連結されるとともに、スレーブ灯具２００が電源装置４に電気的に接続される。スレーブ灯具２００は、コネクタ９及びプラグ２０１を介して、電源装置４から給電される。スレーブ灯具２００は、電源装置４から給電されることで、光源モジュール１４が点灯可能となる。
【００３９】
図５に示すように、光源モジュール１４は、基板１３と、複数子のＬＥＤ素子１１と、を備える。基板１３は、筐体２の上壁２ａから離間した開口部の近くに取り付けられる。基板１３は、筐体２の長手方向に沿って長い形状に構成される。複数個のＬＥＤ素子１１は、基板１３上に基板１３の長手方向に一列に並べて実装される。
【００４０】
ＬＥＤ素子１１は、基板１３の実装面に設けた図示しない配線パターンに接続したＬＥＤチップを樹脂により基板１３の実装面に封止して形成されている。ＬＥＤ素子１１は、例えば、側壁２ｂに形成された保持溝１５により、筐体２に固定される。具体的には、筐体２の２つの長尺な側壁２ｂの開口側の端縁近くには、基板１３の長手方向に沿った端縁を受け入れる保持溝１５がそれぞれ形成されている。２つの保持溝１５は、筐体２の略全長にわたって互いに平行に設けられている。保持溝１５は、基板１３を筐体２の上壁２ａと平行な姿勢で保持することができる位置に配置されている。基板１３は、複数個のＬＥＤ素子１１が天井１と反対の床に向く姿勢で筐体２に取り付けられている。
【００４１】
また、図１及び図５に示すように、筐体２の基板１３に対向する開口部には、長尺で透明な透光カバー１２が設けられている。透光カバー１２は、例えば、樹脂材料の押出し成形により形成されている。
【００４２】
透光カバー１２は、中央部がドーム状に膨出した断面形状を有する。透光カバー１２の長手方向に沿った両端縁部は、同じ材質の端板材により筐体２の端壁２ｃに連続するように閉じられている。透光カバー１２は、筐体２に対して着脱不能であり、筐体２に対して一体に固定されている。透光カバー１２は、基板１３に配置した複数個のＬＥＤ素子１１から出射される光を透過するとともに拡散し、灯具１０から出射される照明光に点状のムラを生じることを防止する。
【００４３】
図９は、天井１の下面１ａの、灯具１０が取り付けられる領域を示す下面図である。図９では、灯具１０を２点鎖線で示している。
【００４４】
図９に示すように、下面１ａの係合孔７と対向する位置のそれぞれに、取付金具２０が固定される。
【００４５】
図１０は、取付金具２０を示す斜視図である。
【００４６】
図４及び図１０に示すように、取付金具２０は、下面１ａに固定される基部２１と、基部２１に形成される係合部２２と、を有する。
【００４７】
基部２１は、下面１ａと上壁２ａとの間に配置される。基部２１は、下面１ａと上壁２ａとの間に配置されることで、灯具１０が下面１ａに当接することを防止する。基部２１は、例えば、板形状、具体例として円板形状に形成される。
【００４８】
係合部２２は、筐体２の凹所３内で、係合孔７の縁部７ａに当接する爪部２３と、基部２１の主面２１ａから、主面２１ａに直交する方向に延出して、その端部に爪部２３が形成される支持部２４と、を有する。縁部７ａは、係合孔７の縁及びその周囲の領域を含む。
【００４９】
爪部２３は、例えば、矩形の板状に構成される。爪部２３は、外力が加わっていない状態では、例えば、支持部２４側の一端２３ａから先端２３ｂに向かうに従い基部２１に近づく平板状に形成される。換言すると、爪部２３は、水平方向及び上下方向の両方向に傾斜する平板状に構成される。ここで上下方向は、重力が作用する方向に平行な方向である。
【００５０】
また、爪部２３の先端２３ｂから基部２１までの距離ｔ１は、係合孔７の深さ以上に設定される。本実施形態では、係合孔７の深さは、ｔ１である。すなわち、爪部２３の先端２３ｂから基部２１までの距離ｔ１は、係合孔７の深さと同じである。なお、係合孔７の、図１１に示すように爪部２３と上下方向に係合する縁部７ａの厚みの最大値は、ｔ１より大きい。縁部７ａの厚みｔ２は、係合孔７の縁から漸次厚くなる。
【００５１】
このように構成される２つの取付金具２０は、図９に示すように、爪部２３の一端２３ａから先端２３ｂへ向かう方向が、引込孔５を中心とする周方向の一方向に沿う姿勢で、下面１ａに固定される。
【００５２】
以下、上述したベースライト１００を天井１に取り付ける方法の一例について説明する。  
ベースライト１００を取り付ける天井１の裏には、予め、給電ケーブル３１が配線されており、天井１の孔１ｂから室内へ給電ケーブル３１の先端が導出されている。複数台の灯具１０を一列にならべて連設する場合、１本の給電ケーブル３１により全ての灯具１０への給電が可能である。
【００５３】
まず初めに、作業者は、天井１に２つの取付金具２０を固定する。この際、２つの取付金具２０を、下面１ａの孔１ｂを両側に固定する。２つの取付金具２０のそれぞれは、灯具１０の係合孔７に対向する位置に、一端２３ａから先端２３ｂへ向かう方向が孔１ｂの周方向の一方向に沿う姿勢で、ねじ２５により固定される。
【００５４】
取付金具２０が下面１ａに固定されると、次に、作業者は、灯具１０を取付金具２０に係合する。具体的には、まず、図７に示すように、灯具１０の筐体２の上壁２ａに設けた引込孔５から引き出されている端子台６に給電ケーブル３１を接続する。給電ケーブル３１は、２本の電線の他にアース線を有する３線タイプのケーブルであり、金属線をビニールで被覆した電線およびアース線をさらにビニールでまとめて被覆したケーブルである。給電ケーブル３１を端子台６に接続する場合、アース線が先に接続されて２本の電線が後に接続されるようにする必要がある。このため、端子台６は、アース線の接続端子がケーブルの差し込み方向の手前側に位置している。
【００５５】
図１１は、係合孔７に取付金具２０を挿入した状態を示す断面図である。
【００５６】
この状態から、図６に示すように、作業者は、端子台６の接続ケーブル８を灯具１０の筐体２の上壁２ａの引込孔５を通して筐体２内に押し込みながら、灯具１０を下面１ａに近付ける。そして、端子台６を筐体２に押し込んで、灯具１０の筐体２の上壁２ａに設けた２つの係合孔７のそれぞれに取付金具２０の爪部２３及び支持部２４を差し込む。
【００５７】
この際、筐体２の上壁２ａが取付金具２０の基部２１に接触するまで灯具１０を下面１ａに近付ける。
【００５８】
図１２は、灯具１０を回転する様子を下方から示す説明図である。
【００５９】
図１２に示すように、作業者は、上壁２ａが基部２１に当接すると、灯具１０を、引込孔５を中心として周方向の一方向に回転する。この回転方向は、取付金具２０の爪部２３が係合孔７の縁部７ａに上下方向に当接することで係合する回転方向である。
【００６０】
灯具１０を回転することで、図４に示すように、爪部２３が係合孔７の縁部７ａに上下方向に重なる。このとき、縁部７ａの厚みｔ２が、係合孔７の縁から離れるに従い増大する為、爪部２３がたわむ。爪部２３がたわむことで、爪部２３の縁部７ａに対する押し付け力が増大する。爪部２３の縁部７ａに対する押し付け力が増大することで、灯具１０及び取付金具２０の係合力が増大する。
【００６１】
灯具１０は、支持部２４が係合孔７の縁に当接するまで回転されると、灯具１０の回転が規制される。支持部２４が係合孔７の縁に当接するまで回転した状態では、爪部２３は縁部７ａに上下方向に対向しており、係合部２２が係合孔７に係合した状態となる。
【００６２】
作業者は、灯具１０の回転が規制されると、すなわちそれ以上灯具１０が回転しなくなると、灯具１０が取付金具２０に係合されたと認識する。
【００６３】
次に、作業者は、灯具１０にスレーブ灯具２００を連結する場合は、図８に示すように、スレーブ灯具２００を、下面１ａに沿って移動することで、スレーブ灯具２００のプラグ２０１を、灯具１０のコネクタ９に差し込む。次に、スレーブ灯具２００を、ねじ等の固定具により、下面１ａに固定する。
【００６４】
このように構成されるベースライト１００によれば、灯具１０は、シャーシ及び灯具を備える構成ではないので、部品の管理が容易となる。さらに、ベースライト１００は、下面１ａに固定される取付金具２０を有し、筐体２の上壁２ａに、取付金具２０が係合する係合孔７が形成される。そして、取付金具２０の爪部２３及び支持部２４を筐体２の上壁２ａの係合孔７に挿入して、灯具１０を回転することで灯具１０を取付金具２０に係合する。
【００６５】
この為、灯具１０を回転するだけで、取付金具２０に係合できるので、ベースライト１００の天井１の下面１ａへの取付を簡単にできる。さらに、取付金具２０は、下面１ａ及び上壁２ａの間、及び、筐体２の凹所３内に配置されるので、ベースライト１００の外側から見えづらくなる。結果、ベースライト１００の美観を向上できるので、ベースライト１００の意匠性を高めることができる。このように、ベースライト１００によれば、部品の管理を容易にし、かつ、下面１ａへの取付を簡単にできる。さらに、ベースライト１０は、意匠性を向上できる。
【００６６】
さらに、取付金具２０は、天井１の下面１ａの、上壁２ａと対向する領域内に配置される。この為、取付金具２０が見えづらくなるので、ベースライト１００の意匠性をより一層向上できる。
【００６７】
さらに、取付金具２０は、下面１ａ及び上壁２ａの間に配置される基部２１を有する。この為、上壁２ａが基部２１に当接することで、上壁２ａが下面１ａに当接することが防止される。この為、灯具１０を回転する際に、灯具１０が下面１ａに対して摺ることがないので、下面１ａが傷つくことを防止できる。
【００６８】
さらに、係合孔７の縁部７ａの厚みｔ２は、外力が加わっていない状態の取付金具２０の基部２１及び爪部２３の先端２３ｂの間の距離ｔ１よりも厚い。この為、爪部２３が係合孔７と係合した状態、換言すると、爪部２３が上下方向に縁部７ａと対向した状態では、爪部２３がたわむことで、爪部２３の縁部７ａに対する押し付け力を大きくできる。この為、灯具１０及び取付金具２０の係合力を大きくできるので、ベースライト１００が下面１ａから不意に外れることを防止できる。結果、ベースライト１００の安全性を向上できる。
【００６９】
さらに、縁部７ａの厚みｔ２は、係合孔７の縁から、灯具１０の回転に伴う爪部２３の移動方向に漸次増大する。この為、爪部２３は、縁部７ａに沿って漸次たわむので、灯具１０を回転する作業の効率の低下を小さく抑えつつ、爪部２３の縁部７ａに対する押し付け力を大きくできる。
【００７０】
さらに、灯具１０の端子台６は、凹所３内で移動可能に支持される。このため、灯具１０を回転する際に、比較的硬い給電ケーブル３１を接続した端子台６の筐体２内における移動を許容することができるので、接続ケーブル８及び電源装置４の接続部分、及び接続ケーブル８及び端子台６の接続部分に応力がかかる集中することを防止できる。この為、接続ケーブル８が断線するなどの不具合が生じることを防止できる。
【００７１】
なお、本実施形態では、灯具１０は、引込孔５の中心が上壁２ａの中心に配置される構成が一例として説明されたが、これに限定されない。他の例では、灯具１０は、引込孔５の中心が上壁２ａの中心からずれる構成であってもよい。例えば、灯具１０は、図１３に示す変形例のように、引込孔５の中心が上壁２ａの中心より上壁２ａの長手方向一端側に配置される構成であってもよい。この構成の場合、取付金具２０は、引込孔５が天井１の孔１ｂに上下方向に対向する位置に配置されるよう、その位置が決定される。
【００７２】
この構成の場合、灯具１０を取付金具２０に係合する際に灯具１０を回転すると、回転中心となる引込孔５が上壁２ａの中心より上壁２ａの長手方向で一端側に配置されることで、灯具１０の引込孔５が配置される側の一端の周方向の回転範囲Ｒ１は、灯具１０の他端の回転範囲Ｒ２よりも短くなる。すなわち、下面１ａにおける、灯具１０の固定に必要なスペースが、上壁２ａの一端側及び他端側のそれぞれ、異なる。
【００７３】
この為、例えば灯具１０が下面１ａの隅に配置される場合など、壁等の周囲の環境等に応じて灯具１０を回転する為のスペースを確保しづらい場合は、引込孔５を下面１ａの隅側の一端に近い位置に配置することで灯具１０の回転範囲を周囲に干渉しない範囲に抑えることができる。
【００７４】
このように、灯具１０の回転中心の位置を、天井１の下面１ａの灯具１０が取り付けられる領域の周囲の環境に応じて決定することで、灯具１０の配置の自由度を向上できる。なお、端子台６が筐体２内で移動可能であることによって、灯具１０の回転中心を、引込孔５以外に設定することも可能となる。
（第２の実施形態）
次に、第２の実施形態に係るベースライト１００Ｂを、図１４乃至図１７を用いて説明する。なお、第１の実施形態と同様の機能を有する構成は、第１の実施形態と同一の符号を付して説明を省略する。
【００７５】
図１４は、ベースライト１００Ｂを示す斜視図である。
【００７６】
図１４に示すように、ベースライト１００Ｂは、灯具１０Ｂと、取付金具２０Ｂと、を備える。ベースライト１００Ｂは、取付金具２０Ｂが天井１の下面１ａに固定され、灯具１０Ｂが取付金具２０Ｂに係合することで、下面１ａに取り付けられる。
【００７７】
灯具１０Ｂは、筐体２Ｂと、電源装置４（図示せず）と、端子台６（図示せず）と、接続ケーブル８（図示せず）と、コネクタ９（図１６に示す）と、透光カバー１２と、光源モジュール１４（図示せず）と、を備える。
【００７８】
筐体２Ｂは、一方向に長く、かつ、両端が開口する筒状に構成される。筐体２Ｂは、具体的には、取付金具２０Ｂに係合されたときに天井１の下面１ａに対向する上壁２Ｂａと、２つの側壁２Ｂｂと、底壁２Ｂｄと、を備える。
【００７９】
上壁２Ｂａは、天井１に対向する対向壁として機能する。２つの側壁２Ｂｂは、上壁２Ｂａの長手方向に沿った両端辺にそれぞれ連続して形成される。底壁２Ｂｄは、２つの側壁２Ｂｂのそれぞれの、上壁２ａに対する他端に形成される。
【００８０】
図１５は、灯具１０Ｂを示す斜視図であり、具体的には、灯具１０Ｂの長手方向で中心近傍から長手方向で一端近傍までの範囲を示している。
【００８１】
図１５に示すように、上壁２ａには、天井１から配線されている給電ケーブル３１を筐体２Ｂ内に引き込むための引込孔５が設けられている。引込孔５は、上壁２ａの中心で上壁２Ｂａを貫通して設けられている。引込孔５の中心は、上壁２Ｂａの中心に位置する。
【００８２】
また、上壁２Ｂａには、取付金具２０Ｂが係合する被係合部７Ｂが形成される。被係合部７Ｂは、例えば複数形成される。さらに、被係合部７Ｂは、複数の一例として、２つ形成される。一方の被係合部７Ｂは、引込孔５を挟んで上壁２Ｂａの長手方向で一方に配置され、例えば上壁２Ｂａの一端の近傍に配置される。他方の被係合部７Ｂは、引込孔５を挟んで上壁２Ｂａの長手方向で他方に配置され、例えば上壁２Ｂａの他端の近傍に配置される。
【００８３】
被係合部７Ｂは、取付金具２０Ｂの後述する爪部２３Ｂが係合可能な被係合爪に構成される。被係合部７Ｂは、例えば、爪部２３Ｂが上下方向に当接することで係合可能に構成される。被係合部７Ｂは、具体的には、上壁２Ｂａに形成された孔２Ｂａ１を覆うように設けられた板状に構成される。被係合部７Ｂは、その縁の一部が孔２Ｂａ１の縁に連結される。被係合部７Ｂは、上壁２Ｂａの厚み方向に、上壁２Ｂａ及び被係合部７Ｂの間に爪部２３Ｂを配置可能に、上壁２Ｂａに対して、上壁２Ｂａの厚み方向に離間している。
【００８４】
被係合部７Ｂ及び上壁２Ｂａ間の、上壁２Ｂａの厚み方向に沿う隙間は、爪部２３Ｂの厚みと同じ、または、爪部２３Ｂの厚みよりも若干大きい隙間に設定される。ここで言う若干大きい隙間は、被係合部７Ｂに対して爪部２３Ｂが移動可能となる程度の隙間であってよい。
【００８５】
電源装置４、端子台６、接続ケーブル８、及び光源モジュール１４は、図示されないが、筐体２Ｂ内に設けられる。なお、端子台６は、第１の実施形態と同様に、接続ケーブル８によって、筐体２Ｂ内に移動可能に連結される。
【００８６】
図１６は、灯具１０Ｂにスレーブ灯具２００Ｂを接続する接続方法を示す説明図であり、灯具１０Ｂ及びスレーブ灯具２００Ｂを灯具１０Ｂの短手方向に沿って見た状態を示している。
【００８７】
図１６に示すように、コネクタ９は、筐体２Ｂの一端の近傍に配置される。
【００８８】
図１４に示すように、取付金具２０Ｂは、天井１の下面１ａに、ねじ等の固定部材４０により固定される。取付金具２０Ｂは、一方向に長い板状に構成される。
【００８９】
図１７は、取付金具２０Ｂの長手方向で一端部の近傍を示している。
【００９０】
図１４及び図１７に示すように、取付金具２０Ｂは、具体的には、一方向に長い板状に構成される基部２１Ｂと、係合部２２Ｂと、を備える。
【００９１】
基部２１Ｂは、ねじ等の固定部材により下面１ａに固定される。基部２１Ｂの長手方向の長さは、筐体２Ｂの上壁２Ｂａの長手方向の長さと同じ長さ、または、上壁２Ｂａの長手方向の長さよりも短い長さに設定される。本実施形態では、基部２１Ｂは、その長手方向に、例えば、上壁２Ｂａの長手方向に沿う長さよりも短い長さを有する。
【００９２】
基部２１Ｂには、給電ケーブル３１を筐体２Ｂ内に引き込むための引込孔２１Ｂａが形成される。引込孔２１Ｂａは、基部２１Ｂを貫通する。引込孔２１Ｂａは、例えば円形に形成される。引込孔２１Ｂａは、例えば、取付金具２０Ｂに灯具１０Ｂが係合された状態において灯具１０Ｂの引込孔５に上下方向に対向する位置に配置される。
【００９３】
基部２１Ｂの両端部の、天井１の下面１ａと反対側の面には、係合部２２Ｂが設けられる。係合部２２Ｂは、灯具１０Ｂの被係合部７Ｂと同数形成される。係合部２２Ｂは、例えば、基部２１Ｂの両端部に１つずつ形成される。
【００９４】
図１７は、取付金具２０Ｂの要部を示す斜視図であり、具体的には、一方の係合部２２Ｂの近傍を切断して示している。
【００９５】
係合部２２Ｂは、灯具１０Ｂを天井１の下面１ａに直交する回転軸回りの一方向に回転することで、被係合部７Ｂに係合可能に構成される。図１７に示すように、係合部２２Ｂは、具体的には、爪部２３Ｂと、支持部２４Ｂと、を有する。爪部２３Ｂは、被係合部７Ｂと上壁２ａとの間に差し込まれる板状に構成される。爪部２３Ｂは、例えば、水平方向に平行な矩形の板状に構成される。
【００９６】
支持部２４Ｂは、爪部２３Ｂを基部２１Ｂに支持する。支持部２４Ｂは、基部２１Ｂから、上下方向のうち下面１ａから離れる方向に延出する。支持部２４Ｂは、その先端に爪部２３Ｂが形成される。
【００９７】
このように構成される２つの係合部２２Ｂは、図１４中に点線で示すように、爪部２３Ｂの一端２３Ｂａから先端２３Ｂｂへ向かう方向が、引込孔５の中心の周方向の一方向に沿う姿勢で、下面１ａに固定される。
【００９８】
図１６に示すように、スレーブ灯具２００Ｂは、灯具１０Ｂが電源装置４及びコネクタ９を備える構成であることに対して、電源装置４及びコネクタ９を備えない点、及び筐体２Ｂの上壁２Ｂａに引込孔５を有さない点で、灯具１０Ｂと異なる。さらに、スレーブ灯具２００Ｂは、コネクタ９に連結されるプラグ２０１を備える。また、スレーブ灯具２００Ｂは、プラグ２０１がコネクタ９に接続された状態において、灯具１０Ｂに接続される接続部２０２を有する。スレーブ灯具２００は、他の構成においては、灯具１０Ｂと同じであってよい。この為、スレーブ灯具２００Ｂについては、灯具１０Ｂと同一の符号を付して説明を省略する。
【００９９】
スレーブ灯具２００Ｂは、筐体２Ｂと、端子台６（図示せず）と、接続ケーブル８（図示せず）と、透光カバー１２と、光源モジュール１４（図示せず）と、プラグ２０１と、接続部２０２と、を備える。
【０１００】
接続部２０２は、例えば、筐体２Ｂの長手方向の一端部により構成される。具体的には、接続部２０２は、図１６に示すように、筐体２Ｂの長手方向の一端部が、透光カバー１２の一端よりも長手方向に延出することで構成される。接続部２０２は、灯具１０Ｂ内に灯具１０Ｂのコネクタ９側の一端から挿入可能であってかつ灯具１０Ｂ内に嵌合する形状に構成される。
【０１０１】
プラグ２０１は、例えば、接続部２０２内に配置される。プラグ２０１は、接続部２０２が灯具１０Ｂの筐体２Ｂ内に挿入されると、コネクタ９に挿入される。
【０１０２】
このように構成されるスレーブ灯具２００Ｂは、スレーブ灯具２００Ｂの透光カバー１２が灯具１０Ｂの透光カバー１２に当接する位置、または、その近傍の位置まで接続部２０２が挿入される。また、接続部２０２が灯具１０Ｂの筐体２Ｂ内に挿入されると、プラグ２０１がコネクタ９に挿入される。
【０１０３】
以下、上述したベースライト１００Ｂを天井１に取り付ける方法の一例について説明する。  
まず初めに、作業者は、取付金具２０Ｂを天井１に固定する。取付金具２０Ｂの固定には、例えば、ねじ等の固定部材４０が用いられる。取付金具２０Ｂが下面１ａに固定されると、引込孔５が天井１の孔１ｂに例えば上下方向に対向する。
【０１０４】
取付金具２０Ｂが下面１ａに固定されると、次に、作業者は、灯具１０Ｂを取付金具２０Ｂに係合する。具体的には、作業者は、第１の実施形態と同様に図７に示すように灯具１０Ｂの引込孔５から引き出されている端子台６に給電ケーブル３１を接続する。
【０１０５】
次に、作業者は、この状態から、図６に示すように、端子台６の接続ケーブル８を灯具１０Ｂの引込孔５を通して筐体２Ｂ内に押し込みながら、灯具１０Ｂを下面１ａに近付ける。そして、灯具１０の筐体２Ｂの上壁２Ｂａに設けた２つの被係合部７Ｂのそれぞれ及び上壁２Ｂａの隙間Ｓを、灯具１０Ｂの回転方向に、係合部２２Ｂの爪部２３Ｂの先端２３Ｂｂと対向させる。なお、この回転方向は、灯具１０Ｂを取付金具２０Ｂに係合させる為の灯具１０Ｂの回転方向である。
【０１０６】
作業者は、２つの被係合部７Ｂのそれぞれの隙間Ｓを、灯具１０Ｂの回転方向に先端２３Ｂｂと対向させると、次に、図１７に示すように、爪部２３Ｂを隙間Ｓ内に侵入させるように灯具１０Ｂを回転させる。
【０１０７】
灯具１０Ｂが回転されて爪部２３Ｂの先端２３Ｂｂが隙間Ｓに侵入されてから、灯具１０Ｂをさらに回転すると、支持部２４Ｂが被係合部７Ｂに当接する。支持部２４Ｂが被係合部７Ｂに当接することで、灯具１０Ｂの回転が規制される。
【０１０８】
支持部２４Ｂが被係合部７Ｂに当接した状態では、爪部２３Ｂが被係合部７Ｂの下方に位置する。被係合部７Ｂの下面７Ｂａから上壁２Ｂａまでの上下方向に沿う距離は、爪部２３Ｂの厚みと同じ、または、爪部２３Ｂの厚みより若干長い。この為、支持部２４Ｂが被係合部７Ｂに当接した状態で作業者が灯具１０Ｂから手を離すと、灯具１０Ｂが上下方向にほとんど移動せずに、爪部２３Ｂ及び被係合部７Ｂが上下方向に当接する。これにより、係合部２２及び被係合部７Ｂが係合する。
【０１０９】
作業者は、灯具１０Ｂの回転中に灯具１０Ｂの回転が規制されると、爪部２３Ｂ及び被係合部７Ｂが係合したと判断し、灯具１０Ｂから手を離す。これにより、ベースライト１００Ｂを下面１ａに固定する作業が完了する。
【０１１０】
次に、灯具１０Ｂにスレーブ灯具２００Ｂを接続する場合の、灯具１０Ｂ及びスレーブ灯具２００Ｂの天井１の下面１ａへの固定方法について説明する。
【０１１１】
まず、作業者は、灯具１０Ｂ及びスレーブ灯具２００Ｂを接続する。具体的には、作業者は、スレーブ灯具２００Ｂの接続部２０２を、灯具１０Ｂの筐体２Ｂ内に、コネクタ９側の一端から挿入する。接続部２０２が所定位置まで挿入されると、プラグ２０１がコネクタ９に挿入される。
【０１１２】
接続部２０２が灯具１０Ｂの筐体２Ｂ内に挿入されることで灯具１０Ｂ及びスレーブ灯具２００Ｂが接続され、プラグ２０１がコネクタ９に挿入されることで、灯具１０Ｂ及びスレーブ灯具２００Ｂが電気的に接続される。
【０１１３】
次に、作業者は、灯具１０Ｂを、取付金具２０Ｂに係合する。灯具１０Ｂの係合の方法は、上述の係合の方法と同じである。
【０１１４】
本実施形態のベースライト１００Ｂは、第１の実施形態と同様の効果が得られる。
【０１１５】
図１８は、ベースライト１００の変形例の要部を示す断面図である。
【０１１６】
本実施形態のベースライト１００Ｂの変形例として、図１８に示すように、灯具１０Ｂの筐体２Ｂの上壁２Ｂａは、取付金具２０Ｂの引込孔２Ｂａ１に回転可能に嵌合する軸部２０３を有してもよい。軸部２０３は、例えば、上壁２Ｂａの引込孔５の縁に形成された円筒部により構成される。軸部２０３により、灯具１０Ｂを、取付金具２０Ｂに対して回転しやすくなる。
【０１１７】
図１９は、灯具１０Ｂ及びスレーブ灯具２００Ｂの変形例を示す平面図である。
【０１１８】
本実施形態では、灯具１０Ｂ及びスレーブ灯具２００Ｂは、接続部２０２により一体に接続された後に灯具１０Ｂが取付金具２０Ｂに係合されることで、天井１の下面１ａに取り付けられた。しかしながら、図１９に示す変形例のように、接続された灯具１０Ｂ及びスレーブ灯具２００Ｂは、第１の実施形態で説明された取付金具２０により下面１ａに取り付けられてもよい。具体的には、灯具１０Ｂの上壁２Ｂａの長手方向の一端部に、第１の実施形態で説明された係合孔７が１つ形成され、スレーブ灯具２００Ｂの上壁２Ｂａの長手方向の一端部に、第１の実施形態で説明された係合孔７が１つ形成される。そして、下面１ａには、第１の実施形態で説明された取付金具２０が固定される。
【０１１９】
このような構成により、連結された灯具１０Ｂ及びスレーブ灯具２００Ｂを、取付金具２０により下面１ａに取り付けられる。なお、灯具１０Ｂの上壁２Ｂａに形成される引込孔５は、上壁２Ｂａの短手方向に長い長孔に形成されてもよい。引込孔５が長孔に形成されることで、灯具１０Ｂを回転する際の、引込孔５内での給電ケーブル３１の上壁２Ｂａの短手方向の移動代を確保できる。この為、灯具１０Ｂ及びスレーブ灯具２００Ｂを回転する際に給電ケーブル３１が引込孔５の縁に当接するなどして、灯具１０Ｂ及びスレーブ灯具２００Ｂの回転が阻害されることを防止できる。
【０１２０】
また、第１の実施形態及び第２の実施形態では、端子台６は、接続ケーブル８により、電源装置４に移動可能に接続された例が一例として説明されたが、これに限定されない。他の例では、図２０に示すように、端子台６は、給電ケーブル３１が挿入される孔を上方に向けた姿勢で、給電ケーブル３１が挿入される孔が引込孔５と上下方向に対向する位置に、固定されてもよい。この構成によれば、給電ケーブル３１を引込孔５から差し込むだけで、給電ケーブル３１を端子台６に接続できる。
（第３の実施形態）
次に、第３の実施形態に係るベースライト１００Ｃ、図２１及び図２２を用いて説明する。なお、第１の実施形態と同様の機能を有する構成は、第１の実施形態と同一の符号を付して説明を省略する。
【０１２１】
図２１は、ベースライト１００Ｃを示す斜視図である。図２２は、ベースライト１００Ｃを示す断面図であり、ベースライト１００Ｃを長手方向に直交する断面に沿って切断した状態を示している。
【０１２２】
図２１及び図２２に示すように、ベースライト１００Ｃは、灯具１０Ｃと、取付金具２０Ｃと、を備える。
【０１２３】
ベースライト１００Ｃは、筐体２Ｃと、電源装置４と、端子台６（図示せず）と、接続ケーブル８（図示せず）と、コネクタ９（図示せず）と、透光カバー１２と、光源モジュール１４と、を備える。
【０１２４】
筐体２Ｃは、上壁２Ｃａと、側壁２ｂと、端壁２ｃ１と、透光カバー１２と、保持溝１５と、を備える。上壁２Ｃａは、一方向に長い、例えば矩形の板状に形成される。上壁２Ｃａは、取付金具２０Ｃの後述する係合部２７が係合可能な係合孔７Ｃが形成される。係合孔７Ｃは、例えば複数、具体例として２つ形成される。係合孔７Ｃは、上壁２Ｃａの短手方向で一端側に配置される。複数の係合孔７Ｃは、上壁２Ｃａの長手方向に並んで配置される。
【０１２５】
取付金具２０Ｃは、天井１の下面１ａに平行または略平行な回転軸に回りに灯具１０Ｃを支持するヒンジ２６と、係合部２７と、を備える。
【０１２６】
ヒンジ２６は、例えば複数、具体例として２つ設けられる。ヒンジ２６は、例えばねじ等の固定部材により、上壁２Ｃａ及び下面１ａに固定される。ヒンジ２６は、上壁２Ｃａの短手方向で、係合孔７Ｃの反対側の一端に配置される。
【０１２７】
係合部２７は、灯具１０Ｃをヒンジ２６回りに回転することで上壁２Ｃａを下面１ａに近づけると、係合孔７Ｃに係合することで、灯具１０Ｃを下面１ａに固定可能に構成される。
【０１２８】
係合部２７は、例えば、筐体２Ｃの凹所３内で係合孔７Ｃの縁部に上下方向に当接することで係合する爪状に構成される。係合部２７は、下面１ａの係合孔７Ｃと対向する位置に配置される。
【０１２９】
係合部２７は、例えば、一対の係合部材２７ａを有する。２つの係合部材２７ａのそれぞれは、その中途部が、上壁２ａの短手方向に離れる方向に屈曲する形状の段部２７ｂと、段部２７ｂに連続して形成され、他方に向かって傾斜する先端部２７ｃと、を有する。
段部２７ｂは、筐体２Ｂの凹所３内で、上壁２Ｃａに上下方向に当接可能に構成される。
【０１３０】
以下、上述したベースライト１００Ｃを天井１の下面１ａに取り付ける方法について説明する。  
まず、作業者は、灯具１０Ｃの上壁２Ｃａに長手方向に沿う一方の縁部に、２つのヒンジ２６を当該長手方向に離間して配置してねじ等の固定部材により固定する。
【０１３１】
次に、作業者は、これら２つのヒンジ２６を、下面１ａにねじ等の固定部材により固定する。これにより、灯具１０Ｃは、ヒンジ２６により下面１ａに連結される。
【０１３２】
次に、第１の実施形態と同様に図７に示すように、灯具１０の筐体２の上壁２Ｃａの引込孔５から引き出されている端子台６に給電ケーブル３１を接続する。この状態から、図６に示すように、端子台６の接続ケーブル８を引込孔５に押し込みながら、灯具１０Ｃをヒンジ２６回りに回転して下面１ａに近付ける。そして、端子台６を引込孔５に押し込んで、灯具１０の筐体２の上壁２Ｃａに設けた２つの係合孔７Ｃのそれぞれに、係合部２７を挿入する。
【０１３３】
係合部２７が係合孔７Ｃに挿入されると、先端部２７ｃが係合孔７Ｃの縁に当接する。灯具１０Ｃを下面１ａに近づけるに従い、係合部材２７ａがたわむ。係合部材２７ａがたわむことで、段部２７ｂが係合孔７Ｃ内に挿入される。
【０１３４】
段部２７ｂが係合孔７Ｃ内に配置されると、係合部材２７ａが自身の弾性により復帰することで、段部２７ｂが上下方向に係合孔７Ｃの縁部に上下方向に当接する。段部２７ｂが係合孔７Ｃの縁部７ａに当接することで、係合部２７が係合孔７Ｃに係合される。これにより、灯具１０Ｃが下面１ａに取り付けられる。
【０１３５】
このように構成されるベースライト１００Ｃによれば、第１の実施形態と同様の効果が得られる。
（第４の実施形態）
次に、第４の実施形態に係るベースライト１００Ｄを、図２３及び図２４を用いて説明する。なお、第３の実施形態と同様の機能を有する構成は、第３の実施形態と同一の符号を付して説明を省略する。
【０１３６】
図２３は、ベースライト１００Ｄを示す斜視図である。図２４は、ベースライト１００Ｄを、ベースライト１００の長手方向に沿って見た状態を示す側面図である。
【０１３７】
図２３及び図２４に示すように、ベースライト１００Ｄは、灯具１０Ｄと、取付金具２０Ｄと、を備える。ベースライト１００Ｄは、取付金具２０Ｄにより、下面１ａに取り付けられる。
【０１３８】
灯具１０Ｄは、筐体２Ｄと、電源装置４（図示せず）と、端子台６（図示せず）と、接続ケーブル８（図示せず）と、コネクタ９（図示せず）と、光源モジュール１４（図示せず）と、を備える。
【０１３９】
筐体２Ｄは、一方向に長い筒状に構成される。筐体２Ｄは、例えば、略矩形の筒状に構成される。筐体２Ｄの側部及び下部は、例えば、光を透過する透明な材料から形成される。すなわち、光源モジュール１４からの光は、筐体２Ｄの側部及び下部を透過して室内を照らす。筐体２Ｄの上壁には光源モジュール１４が固定される。筐体２Ｄは、例えば、樹脂材料の押出し成形により形成される。なお、筐体２Ｄは、上壁を有さない構成であってもよい。この構成の場合、光源モジュール１４の基板１３が、筐体２Ｄの上部開口を閉塞するように設けられてもよい。筐体２Ｄは、図２４に示すように、筐体２Ｄが取付金具２０Ｄに係合した状態において上端となる上壁２Ｄａと、一対の側壁２Ｄｂと、底壁２Ｄｃと、を有する。
【０１４０】
また、筐体２Ｄは、取付金具２０Ｄが係合可能な被係合部７Ｄが形成される。被係合部７Ｄは、例えば、筐体２Ｄの上壁２Ｄａの短手方向の両端縁部が、短手方向に延出することで構成される。
【０１４１】
電源装置４は、筐体２Ｄ内、または、取付金具２０Ｄ内に配置される。本実施形態では、電源装置４は、一例として筐体２Ｄの上壁２Ｄａの外面に固定され、取付金具２０Ｄ内に配置される。接続ケーブル８と、基板１３と、光源モジュール１４とは、筐体２Ｄ内に収納される。電源装置４は、他の例では、取付金具２０Ｄの上壁２０ａの内面に固定される。
【０１４２】
取付金具２０Ｄは、一方向に長い形状に構成される。取付金具２０Ｄの長手方向の長さは、筐体２Ｄの長手方向の長さ以下の長さに設定される。取付金具２０Ｄは、一例として、筐体２Ｄの長手方向に沿う長さと同じ長さに設定される。取付金具２０Ｄは、具体的には、天井１の下面１ａに対向する上壁２０ａと、２つの側壁２０ｂと、を備える。
【０１４３】
上壁２０ａには、引込孔２０ｃが設けられている。引込孔２０ｃは、例えば円形に形成される。引込孔２０ｃは、上壁２０ａの中心で上壁２０ａを貫通して設けられている。引込孔５の中心は、上壁２Ｂａの中心に位置する。引込孔２０ｃは、給電ケーブル３１を挿通可能に形成される。
【０１４４】
２つの側壁２０ｂは、上壁２０ａの長手方向に沿った両端辺にそれぞれ連続して形成される。２つ側壁２０ｂのそれぞれの下端には、他方の側壁２０ｂに向かって所定長さ延出する当接部２０ｄが形成される。当接部２０ｄは、灯具１０Ｄの上壁２Ｄａの被係合部７Ｄが当接可能に形成される。
【０１４５】
一方の側壁２０ｂには、筐体２Ｄの一方の被係合部７Ｄに着脱可能に係合する係合部２２Ｄが、例えば複数、具体例として２つ形成される。係合部２２Ｄは、例えば、灯具１０Ｄの一方の被係合部７Ｄを、当接部に２０ｃとの間に狭持可能に構成される。
【０１４６】
また、他方の側壁２０ｂの下端部は、筐体２Ｄの他方の被係合部７Ｄに、例えば複数、具体例として２つのヒンジ２０ｅにより、下面１ａに平行または略平行な回転軸回りに回転可能に固定される。複数のヒンジ２０ｅは、被係合部７Ｄの長手方向に離間して配置される。
【０１４７】
以下、上述したベースライト１００Ｄを天井１の下面１ａに取り付ける方法について説明する。  
まず、作業者は、灯具１０Ｄの上壁２０ａに２つのヒンジ２０ｅをねじ等の固定部材により固定する。
【０１４８】
次に、作業者は、これら２つのヒンジ２０ｅを、筐体２Ｄの一方の被係合部７Ｄに、ねじ等の固定部材により固定する。なお、ヒンジ２０ｅの取付金具２０Ｄへの固定と、ヒンジ２０ｅの筐体２Ｄへの固定とは、どちらが先になされてもよい。
【０１４９】
次に、作業者は、取付金具２０Ｄを、上壁２Ｄａが下面１ａに対向する姿勢で、下面１ａにねじ等の固定部材により固定する。これにより、灯具１０Ｄは、取付金具２０Ｄのヒンジ２０ｅにより下面１ａに連結される。このとき、給電ケーブル３１を、取付金具２０Ｄの上壁２０ａに形成された孔２０ｃから、室内に引き出しておく。
【０１５０】
次に、第１の実施形態と同様に図７に示すように、灯具１０Ｄの筐体２Ｄの上壁２Ｄａの引込孔５から引き出されている端子台６に給電ケーブル３１を接続する。この状態から、図６に示すように、端子台６の接続ケーブル８を引込孔２０ｃに押し込みながら、灯具１０Ｃをヒンジ２６回りに回転して下面１ａに近付ける。そして、端子台６を引込孔２０ｃに押し込んで、取付金具２０Ｄの係合部２２Ｄを筐体２Ｄの一方の被係合部７Ｄに係合させる。
【０１５１】
これにより、ベースライト１００Ｄが天井１の下面１ａに取り付けられる。
【０１５２】
本実施形態では、第１の実施形態と同様の効果が得られる。
【０１５３】
また、本実施形態のベースライト１００Ｄは、図２５に示すように、スレーブベースライト２１０が連結されてもよい。ベースライト１００Ｄの灯具１０Ｄは、スレーブベースライト２１０の後述するスレーブ灯具２００Ｄが電気的に接続されるコネクタ９をさらに有する。コネクタ９は、電源装置４に電気的に接続される。
【０１５４】
スレーブベースライト２１０は、スレーブ灯具２００Ｄと、取付金具２０Ｅと、を備える。スレーブ灯具２００Ｄは、筐体２Ｅと、電源装置４（図示せず）と、光源モジュール１４（図示せず）と、プラグ２０１と、を備える。
【０１５５】
筐体２Ｅは、一方向に長い筒状に構成される。筐体２Ｅは、例えば、光を透過する透明な材料から形成される。筐体２Ｅは、例えば、樹脂材料の押出し成形により形成される。筐体２Ｅは、図２５に示すように、筐体２Ｅが取付金具２０Ｅに係合した状態において上端となる上壁２Ｅａの短手方向の両縁のそれぞれに、例えば複数、具体例として２つの係合部７Ｅが形成される。係合部７Ｅは、取付金具２０Ｅの後述するレール２８に、レール２８に沿って移動可能なフック形状に構成される。
【０１５６】
電源装置４と、基板１３と、光源モジュール１４と、プラグ２０１とは、筐体２Ｅ内に収納される。
【０１５７】
取付金具２０Ｅは、一方向に長い形状に構成される。取付金具２０Ｅの長手方向の長さは、筐体２Ｅの長手方向の長さ以下の長さに設定される。取付金具２０Ｅは、具体的には、天井１の下面１ａに対向する上壁２０Ｅａと、２つの側壁２０Ｅｂと、を備える。
【０１５８】
２つの側壁２０Ｅｂは、上壁２０Ｅａの長手方向に沿った両端辺にそれぞれ連続して形成される。２つ側壁２０Ｅｂのそれぞれの下端には、取付金具２０Ｅの長手方向に沿って延びるレール２８が形成される。レール２８は、灯具２００Ｄの係合部７Ｅが、レール２８を中心として回転可能に、かつ、レール２８に沿って移動可能係合される。
【０１５９】
このように構成されるスレーブ灯具２００Ｄは、灯具１０Ｅの上壁２Ｅａの一方の長手方向に沿う縁に形成された複数の係合部７Ｅを、取付金具２０Ｅの一方のレール２８に係合させることで、取付金具２０Ｅに一体に連結される。
【０１６０】
このように構成されるスレーブ灯具１０Ｅは、取付金具２０Ｅを、ベースライト１００Ｄの取付金具２０Ｄに隣接する位置に、ねじ等の固定部材により固定される。そして、スレーブ灯具２００Ｄの上壁２Ｅａの他方の長手方向に沿う縁に形成された係合部７Ｅが取付金具２０Ｅの他方のレール２８に、係合される。
【０１６１】
次に、スレーブ灯具２００Ｅを、レール２８に沿って移動することで、プラグ２０１を、灯具１０Ｄのコネクタ９に接続する。
【０１６２】
なお、ベースライト１００Ｄとスレーベースブライト２１０とは、取付金具を共用してもよい。この例としては、スレーブ灯具２００Ｄは、ベースライト１００Ｄの取付金具２０Ｄに係合する構成であってもよい。この構成の場合は、取付金具２０Ｄのスレーブベースライト２１０側の端部は、灯具１０Ｄよりもスレーブベースライト２１０側に突出する形状に構成される。そして、取付金具２０Ｄの、スレーブベースライト２１０側の端部に、レール２８が形成される。
【０１６３】
なお、第１の実施形態乃至第４の実施形態のベースライト１００、１００Ｂ、１００Ｃ、１００Ｄでは、給電ケーブル３１は、電源装置４に移動可能に支持された端子台６に直接接続される構成が一例として説明されたが、これに限定されない。他の例では、図２６及び図２７に示す変形例のように、給電ケーブル３１の先端にコネクタ６Ｂが設けられ、電源装置４は、コネクタ６Ｂが電気的に接続されるプラグ３２が接続ケーブル８により接続されてもよい。このように、給電ケーブル３１は、端子台６を介して電源装置４に電気的に接続される構成ではなく、コネクタ６Ｂ及びプラグ３２により、電源装置４に電気的に接続される構成であってもよい。なお、コネクタ６Ｂが給電ケーブル３１に設けられ、プラグ３２が接続ケーブル８に設けられてもよい。
【０１６４】
また、第１の実施形態乃至第４の実施形態のベースライト１００、１００Ｂ、１００Ｃ、１００Ｄは、天井１の下面１ａに取り付けられる構成が一例として説明されたが、これに限定されない。他の例では、ベースライト１００、１００Ｂ、１００Ｃ、１００Ｄは、部屋の側面に、取付金具２０、２０Ｂ、２０Ｃ、２０Ｄにより、取り付けられてもよい。
【０１６５】
以上述べた少なくともひとつの実施形態のベースライト１００、１００Ｂ、１００Ｃ、１００Ｄによれば、部品の管理を容易にし、かつ、意匠性を向上することが可能となる。
【０１６６】
本発明のいくつかの実施形態を説明したが、これらの実施形態または実施例は、例として提示したものであり、発明の範囲を限定することは意図していない。これら実施形態または実施例は、その他の様々な形態で実施されることが可能であり、発明の要旨を逸脱しない範囲で、種々の省略、置き換え、変更を行うことができる。これら実施形態または実施例やその変形は、発明の範囲や要旨に含まれるとともに、特許請求の範囲に記載された発明とその均等の範囲に含まれる。
【符号の説明】
【０１６７】
１…天井、１ａ…下面、１ｂ…孔、２…筐体、２…側壁、２ａ…上壁、２ｂ…側壁、２Ｂ…筐体、２Ｂａ…上壁、２Ｂａ１…引込孔、２Ｂｂ…側壁、２Ｂｄ…底壁、２ｃ…端壁、２Ｃ…筐体、２ｃ１…端壁、２Ｃａ…上壁、２Ｄ…筐体、２Ｄａ…上壁、２Ｄｂ…側壁、２Ｄｃ…底壁、２Ｅ…筐体、２Ｅａ…上壁、３…凹所、４…電源装置、５…引込孔、６…端子台、６Ｂ…コネクタ、７…係合孔、７ａ…縁部、７Ｂ…被係合部、７Ｂ…係合孔、７Ｂａ…下面、７Ｃ…被係合孔、７Ｃ…係合孔、７ｄ…被係合部、７Ｄ…被係合部、７Ｅ…係合部、８…接続ケーブル、９…コネクタ、１０…灯具、１０Ｂ…灯具、１０Ｃ…灯具、１０Ｄ…灯具、１０Ｅ…灯具、１１…ＬＥＤ素子、１２…透光カバー、１３…基板、１４…光源モジュール、１５…保持溝、２０…取付金具、２０ａ…上壁、２０ｂ…側壁、２０Ｂ…取付金具、２０ｃ…引込孔、２０ｃ…孔、２０Ｃ…取付金具、２０ｄ…当接部、２０Ｄ…取付金具、２０ｅ…ヒンジ、２０Ｅ…取付金具、２０Ｅａ…上壁、２０Ｅｂ…側壁、２１…基部、２１ａ…主面、２１Ｂ…基部、２１Ｂａ…引込孔、２２…係合部、２２Ｂ…係合部、２２Ｂｂ…先端、２２Ｄ…係合部、２３…爪部、２３ａ…一端、２３ｂ…先端、２３Ｂ…爪部、２３Ｂａ…一端、２３Ｂｂ…先端、２４…支持部、２４Ｂ…支持部、２６…ヒンジ、２７…係合部、２７ａ…係合部材、２７ｂ…段部、２７Ｂ…係合部、２７ｃ…先端部、２８…レール、３１…給電ケーブル、３２…プラグ、４０…固定部材、１００…ベースライト、１００Ｂ…ベースライト、１００Ｃ…ベースライト、１００Ｄ…ベースライト、２００…スレーブ灯具、２００Ｂ…スレーブ灯具、２００Ｄ…スレーブ灯具、２００Ｅ…スレーブ灯具、２０１…プラグ、２０２…接続部、２０３…軸部、２１０…スレーブベースライト、２１１…プラグ、Ｒ１…回転範囲、Ｒ２…回転範囲、Ｓ…隙間、ｔ１…距離。
【図１】
2020167110.tif 000003
【図２】
2020167110.tif 000004
【図３】
2020167110.tif 000005
【図４】
2020167110.tif 000006
【図５】
2020167110.tif 000007
【図６】
2020167110.tif 000008
【図７】
2020167110.tif 000009
【図８】
2020167110.tif 000010
【図９】
2020167110.tif 000011
【図１０】
2020167110.tif 000012
【図１１】
2020167110.tif 000013
【図１２】
2020167110.tif 000014
【図１３】
2020167110.tif 000015
【図１４】
2020167110.tif 000016
【図１５】
2020167110.tif 000017
【図１６】
2020167110.tif 000018
【図１７】
2020167110.tif 000019
【図１８】
2020167110.tif 000020
【図１９】
2020167110.tif 000021
【図２０】
2020167110.tif 000022
【図２１】
2020167110.tif 000023
【図２２】
2020167110.tif 000024
【図２３】
2020167110.tif 000025
【図２４】
2020167110.tif 000026
【図２５】
2020167110.tif 000027
【図２６】
2020167110.tif 000028
【図２７】
2020167110.tif 000029